(57)【要約】【課題】従来の干し具は嵩張り、収納に不便で、使用時には干し具にあまり沢山の干し物を干す事が出来なかった。本発明は、使用時は場所を取らないで多品種で多数の干し物を、迅速に取り付け、干す事が出来、取り込みも迅速に出来、収納時はコンパクトで収納し易い物干し装置を提供する。【解決手段】閉回路型構造の干し具（１、３）と放射状構造の干し具（２）を使用時には複数の異なる物干し具を連結し、組み合わせて使用するので狭いスペースでも多品種、大量に干す事が出来、収納時には各干し具毎に解体し収納が出来る。ピンチ用レバーは閉回路構造の物干し具のフレームに直接に設置され、且つシングルレバーであるので干し物を手早く取り付けられ、又、全ての止め具が簡単に開放されるので、干し物を迅速に取り込む事も出来る物干し装置。【選択図】図1
2007289364.tif 000002
【特許請求の範囲】
【請求項１】
閉回路型構造を有する物干し具と放射状構造を有する物干し具とを連結してなる物干し装置であって、閉回路型構造を有する物干し具と放射状構造を有する物干し具を上下に連結する事を特徴とする物干し装置。
【請求項２】
閉回路型構造を有する物干し具において、該閉回路型構造の物干し具のフレーム部分に物干し具を固定するピンチ用レバーを具備する事を特徴とする特許請求範囲第一項記載の物干し装置。
【請求項３】
放射状構造を有する物干し具において、該放射状構造の物干し具のリブ固定台とリブ拘束ディスク間に挟持され拘束されている全リブを同時に開放する事を特徴とする特許請求範囲第一項記載の物干し具
【発明の詳細な説明】
【技術分野】
【０００１】
本発明は、物干し装置に関するもので、構造の異なる各物干し具を収納時には各物干し具毎に分解して収納し、使用時には各物干し具を立体的に組み合わせて使用するところの、狭い空間でも多種類、多数を干すことが出来、干し物の取り付けと取り外しが迅速に出来る物干し装置に関するものである。
【背景技術】
【０００２】
従来の物干し装置は折り畳んでも嵩張り、狭い場所に収納したり、保管する事が出来難く、使用空間にも無駄が多く物干し具に多種類、且つ沢山の干し物を干す事が出来ないので機能の異なる複数の物干し具が必要であった。マンションに代表されるが、最近の住居は一般に狭い物干し用の空間しかなく、一つの物干し具では充分な数量の干し物を干す事が出来ず、物干し具を並べて使用するスペースも無いのが実情である。
【０００３】
従来の物干し装置として、放射状に複数のリブが取り付けられて回転が自由な物干し部を有するものは、回転機構だけを活かすだけなので、収納時、使用時とも干し物具は嵩張るものとなっている。他の物干し具として、上ハンガーと下ハンガーの間に小物を干す複数のリブを取り付けた物干し具を付設するものは、空間を有効に利用する工夫がなされていず、シート状の小物は干せるが多種類を干す事が出来ないものである。又他の従来技術として、閉回路型構造の物干し具で単一のものや同じものを上下に組み合わせたものがあるが、何れも多種類の干し物は干す事が出来ず、ピンチを沢山ぶら下げて干し物を挟んで固定するだけなので、取り付けやぶら下げる操作に手間がかかり、使用時や収納時にピンチを連繋している紐が縺れる恐れがある。
【０００４】
更に、他の方式として、複数の干し物懸吊用リブを放射状に回動可能に組み合わせた物干し具に、より小寸の同系の放射状構造の物干し具とを上下に連結して使用する物干し装置も考案されているが、同種類の干し物を少し余分に干せるだけである。異なる機構の物干し具を複合組み合わせた物干し装置もあるが多種類を干すことが主目的で、空間利用が考慮されていないので、干すのに広い空間が必要である。放射状構造の物干し具において、リブ開閉の為に押し引き杵を付け、更にリブ先端の止め具の開閉にリブ先端と案内部間に付設される補助腕を付けるものも考案されているが、杵の押し引きに掛かる負荷と操作にかかる手間や摺動面間の磨耗、及び  止め具開閉の為の補助腕の複雑な機構は故障の原因となり易い、又  円形閉回路型構造の物干し具において、脱着を自在にするため固定挟と移動挟の異なる二種類のピンチ用レバーを設置し、挿入するだけで干し物が固定される発明もあるが、それらのいずれの装置も構造が複雑なので部品点数も多く、コスト的にも耐久的にも幾つかの解決されるべき課題があるものである。
【０００５】
以上の如く、従来技術にも、多くの工夫が成されてはいるが、充分に改良されているとは言い難く、収納し易く、収納時に於いても使用時に於いても嵩張らず、狭い空間でもスペース的に余裕を持って扱え、多種類の、且つ多数の干し物を同時に干す事が出来、更に干し物を迅速に取り付けたり、迅速に取り込む事が出来、構造が簡単で、安価に供給が出来、しかも故障の懸念の少ない物干し装置が求められている。
本発明は、上記の様な不都合がなく、取り扱いが便利な物干し装置を提供するものである。
【０００６】
【特許文献１】実開平４−１２５８９４号
【特許文献２】特開平８−１２６５６８号
【特許文献３】実開平６−６６５９２号
【特許文献４】実開平６−３８８９０号
【特許文献５】特開平９−３０８７９８
【特許文献６】特開２００１−１７０３９５
【特許文献７】特開平１０−２９４号
【特許文献８】実用新案３０１５５６７号
【特許文献９】特開平１１−７６６９１号
【発明の開示】
【発明が解決しようとする課題】
【０００７】
従来の干し具は折り畳んでも嵩張るので収納する際に場所を取り、狭い場所に収納、保管が出来難くかった。又、従来の干し具は空間を有効に利用しているものは少なく、干し具にあまり沢山の干し物を干す事が出来ず、各物干し具はその構造に多様性が無いので機能の異なる複数の干し具を並べて使用する必要があった。並列に並べるには、狭い物干し用の空間にはスペースにゆとりが無いのが実情であった。又、干し物を干す際には干し物を一つずつ取り付け、干し物を取り込む際には干し物を一つずつ取り外して取り込まねばならず、操作に手間が掛かっていたが、それらを改善するには物干し具の各部分の構造が複雑になり実用化には問題があった。
【課題を解決するための手段】
【０００８】
本発明はこれら課題を解決するものであり、閉回路型構造の物干し具と放射状構造の干し具を立体的に交互に組み合わせる事を特徴としたものである。本発明により、狭い空間に於いてでも形状の異なる干し物を多数干す事が出来、又  ピンチ用レバーは閉回路構造の物干し具のフレームに直接設置され、且つシングルレバーであるので、干し物の取り付けや取り外しが簡単で、迅速に出来、さらに各ピンチ用レバー全てをワイヤーなどで連繋させワイヤーを一組から数組に束ねて操作すれば、ワンタッチ操作で全てのピンチ用レバーを各組毎に纏めて開放する事も出来る。リブ拘束ディスクをワンタッチ操作する事で、放射状構造の物干し具のリブ固定台とリブ拘束ディスク間に挟持され、拘束されている全てのリブを同時に開放される事を特徴としたものである。干し物具の懸吊用ロッドにピンチ用レバーを開放するバーとしての機能を持たせる事は可能であり、構造上も簡素になるので好ましい。
【０００９】
放射状構造の物干し具のリブ先端の止め具は、梃子を使用したものが好ましい。リブが水平の状態で干し物が拘束されている時は止め具の作用点の部分で干し物をリブに押圧し、リブが拘束から開放され垂直になった時は止め具の押圧が解除され、干し物がリブから自動的に外れる。梃子を利用すれば干し物の取り扱いが非常に簡単となり、干し物を速やかに取り付けられ、且つ迅速に収納する事ができるが、更に確実に干し物の押圧と開放が出来るように止め具のストッパーと開閉用の爪を梃子とフレーム間に取り付ける事も可能である。
【発明の効果】
【００１０】
本発明により、収納時には干し物具毎に分解してコンパクトに収納が出来、使用時にはそれらを組み合わせて使用する事で、狭い空間に於いてでも形状の異なる多品種の干し物を多数干す事が出来るので、非常に使用効率の高い物干し装置を提供する事が出来る。   閉回路型物干し具のピンチ用レバーはフレームに直接設置され、且つシングルレバーであるので干し物の取り付けや取り外しが迅速に出来る。又、各ピンチ用レバー全てをワイヤーで連繋させ該ワイヤーを一組、もしくは数組に束ねて操作すれば、ワンタッチ操作で閉回路型構造の各物干し具の全てのピンチ用レバーが各組毎に開放されるので干し物の取り込みが迅速に出来る。リブ拘束ディスクをワンタッチ操作するだけで放射状構造の物干し具に具備され、拘束されている全てのリブが同時に開放され、止め具から干し物が外れるので、干し物の取り込みが簡単且つ迅速に出来る。これら物干し装置の各部の材料は、必ずしも実施例に使用している部材の種類に限るものではなく、木材、金属  及び  プラスチックなどの通常の市場で簡単に入手できる材料で如何なる不都合も無い。即ち、本発明に係る物干し装置は、機構がシンプルな為、工業的に量産し易いばかりでなく、安価に生産出来るため、産業上の利用可能性は大きい。
【発明を実施するための最良の形態】
【００１１】
本発明の干し物装置について実施例を参考にして説明する。図２に示す如く、第一段階では閉回路型構造の物干し具（１）のピンチ用レバーに干し物を懸け、固定する。
【００１２】
図３に示す如く、第二段階では第一段階で説明した閉回路型構造の物干し具（１）の垂直方向の下位に放射状構造の干し具（２）を懸吊する。リブ固定台（７）とリブ拘束ディスク（１２）間に挟持され水平に拘束されているリブ（８）に干し物を懸け、リブ支点部分とリブ先端の止め具にて固定する。
【００１３】
図４に示す如く、第三段階では円形の閉回路型構造の物干し具（３）のピンチ用レバー（４）に干し物を懸け、固定し、第二の放射状の物干し具（２）の垂直方向の下位に懸吊する。
放射状構造の干し物を取り込む時は、リブ拘束ディスクを操作して拘束されている全てのリブを開放させて止め具を開いて干し物を外す。閉回路型構造の物干し具のワイヤーを束ねた際には干し物を取り込む時は、束ねているワイヤーを組毎に引っ張り、全てのピンチ用レバー（４）を開放する。
【００１４】
以上の如く、閉回路構造の物干し具と放射状構造の物干し具を上下に連結し使用する事により、狭い空間でも干し物が密度の高い状態で取り付けられるので、形状の異なる干し物が多種類、しかも非常に多数干すことが出来、取り付けも取り外しも迅速に出来る。使用後は干し物具毎に個々に分解して、折り畳み、コンパクトな状態にして、狭い空間でも収納する事が出来る。本発明に使用出来る閉回路構造の物干し具の形状は円形、角形等いろいろな形状のものが可能であり、また、放射状構造の干し物具の形状も本実施例に限定されるものではない。
【図面の簡単な説明】
【００１５】
【図１】本発明の全体図を示す斜視図である。
【図２】本発明の閉回路型構造の物干し部（１）の正面図である。
【図３】本発明の放射状構造の物干し部（２）のリブ拘束ディスクをはずした状態の正面図である。
【図４】本発明の円形閉回路型構造の物干し部（３）の正面図である。
【図５】本発明の物干し装置全体を示す断面図である。
【図６】閉回路型構造の物干し部のフレームに取り付けたピンチ用レバーの側面図である。
【図７】本発明の放射状構造の干し具のリブがリブ固定台とリブ拘束ディスク間に挟持され止め具が固定されている状態と、リブが拘束ディスクから外れ止め具が開放されている状態を示す側面図である。
【符号の説明】
【００１６】
閉回路型構造物干し具、２）放射状構造物干し具、３）円形閉回路型構造物干し具、４）ピンチ用レバー、５）支点、６）スプリング、７）リブ固定台、８）リブ、９）懸吊用ロッド、１０）懸吊用フック、１１）フレーム、１２）リブ拘束ディスク、１３）梃子、１４）支柱、１５）止め具、16）重石、17）ワイヤー連繋用穴
【図１】
2007289364.tif 000003
【図２】
2007289364.tif 000004
【図３】
2007289364.tif 000005
【図４】
2007289364.tif 000006
【図５】
2007289364.tif 000007
【図６】
2007289364.tif 000008
【図７】
2007289364.tif 000009